(57)【要約】【課題】水圧が高い場合や、蛇口の吐出口からバスタブの底面との距離（落差）が大きい場合でも騒音の発生や周囲への飛散を防止できる蛇口からの飛散防止を兼ねた消音具を提供できるようにする。【解決手段】可撓性を有する状態で略円筒状に形成された消音具本体の少なくとも一端側部分に蛇口装着部を設け、該蛇口装着部を蛇口に装着したときに蛇口の吐出口が消音具本体内に位置するように構成した。【選択図】　　図２
2004068535.tif 000002
【特許請求の範囲】
【請求項１】
可撓性を有する状態で略円筒状に形成された消音具本体の少なくとも一端側部分に蛇口装着部を設け、該蛇口装着部を蛇口に装着したときに蛇口の吐出口が消音具本体内に位置するように構成してなる蛇口からの飛散防止を兼ねた消音具。
【請求項２】
消音具本体がネット地若しくは編地又は不織布で通水可能に形成されたことを特徴とする請求項１に記載の蛇口からの飛散防止を兼ねた消音具。
【請求項３】
消音具本体内を流れる水の流勢を減衰させる減衰手段を消音具本体内に設けてなる請求項１又は請求項２に記載の蛇口からの飛散防止を兼ねた消音具。
【発明の詳細な説明】
【０００１】
【発明の属する技術分野】
本発明は例えばバスタブに注水したり給湯したりする蛇口に装着して使用する飛散防止を兼ねた消音具に関するものである。
【０００２】
【従来の技術】
一般に、この種の蛇口はバスタブの上方に設置してあり、コックをひねって開栓することにより、吐出口からバスタブに直接注水したり、給湯したりするようにしている。
【０００３】
【発明が解決しようとする課題】
ところが上記従来の蛇口の吐出口からバスタブに直接注水したり、給湯したりするものでは、吐出口から解放された水や湯は周囲に広がろうとするとともに、流下する流れの中に空気を取り込みバスタブの底に激しく当たる為に、大きな音を発生し、これが周囲に放散されて騒音となってしまうという問題があった。
特にバスタブが琺瑯製やステンレススチールを深絞りしたものや合成樹脂製のものでは大きなものとなり、静かな深夜では注水量や給湯量を絞って、少量にするために多大に時間がかかるという問題があった。
【０００４】
しかも、吐出口からの水や湯がバスタブの底に激しく当たるとその飛沫が周囲に飛散して濡らしてしまうという問題もある。
こうした問題は水圧が高い場合や、蛇口の吐出口からこれが対面するバスタブの底面との距離、即ち落差が大きいほど顕著となる。
本発明は上記問題点に鑑みて提案されたもので、水圧が高い場合や、蛇口の吐出口からバスタブの底面との距離（落差）が大きい場合でも騒音の発生や周囲への飛散を防止できる蛇口からの飛散防止を兼ねた消音具を提供できるようにすることを目的とするものである。
【０００５】
【課題を解決するための手段】
上記目的を達成するために本発明にかかる蛇口からの飛散防止を兼ねた消音具は、可撓性を有する状態で略円筒状に形成された消音具本体の少なくとも一端側部分に蛇口装着部を設け、該蛇口装着部を蛇口に装着したときに蛇口の吐出口が消音具本体内に位置するように構成したことを特徴とするものである。
【０００６】
そして、消音具本体がネット地若しくは編地又は不織布で通水可能に形成したり、消音具本体内にここを流れる水の流勢を減衰させる減衰手段を設けたりすることが望ましい。
【０００７】
【発明の実施の形態】
以下本発明蛇口からの飛散防止を兼ねた消音具にかかる一実施の形態を図面に基づいて説明する。
図１は飛散防止を兼ねた消音具の使用状態であって、図中符号１はバスタブ２の一側の上部に配設された蛇口３の吐出口４部分に装着された消音具を全体的に示す。
この消音具１は、図２に示すように消音具本体５が編地で縦長の円筒状に形成され、上端部分５ａには蛇口装着部６が形成されている。
蛇口装着部６は、筒状の消音具本体５の上端部分５ａを閉塞し、この閉塞部分に装着用孔８・８を消音具本体５の長さ方向に直交する状態で形成してある。
装着孔８・８の下方にはゴム糸等の弾性糸を挿入した締込み部９が形成されている。
【０００８】
上記のように形成された消音具１を使用する手順を次に説明する。
先ず、蛇口３の吐出口４を消音具本体５の蛇口装着部６に形成された一方の装着孔８を潜らせ当該吐出口４を消音具本体５内に位置させるとともに、他方の装着孔８からコック部分１０が突き出た状態にする。
すると、締込み部９が蛇口３の吐出口４の近傍をその周囲から包み込むので、蛇口装着部６は蛇口３にしっかりと装着される。
次にコック部分を操作して開栓すると、吐出口４から水又は湯が勢い良く吐出される。
【０００９】
こうして、吐出口４から吐出された水や湯は消音具本体５の内部を通り、バスタブ２等に給水若しくは給湯される。
このとき、吐出口４から吐出された水や湯は消音具本体５に案内されてバスタブ２等に、周囲への飛散が防止されながら流れ込むので、水圧が高い場合や、蛇口３の吐出口４からバスタブ２の底面との距離（落差）が大きい場合でも騒音の発生や周囲への飛散が防止される。
【００１０】
上記実施の形態では、消音具本体５を編地で形成するようにしてあるが、こうしたものに限られず、編地の他にネット地若しくは図４に示すように通水可能な不織布を２枚合わせにしてその両側をシールすることにより筒状の消音具本体５を形成することができる。
このように通水可能な素材で消音具本体５を形成すると、蛇口３からの吐出圧力が高いときには、消音具本体５の周囲に流れ出て圧力を適正な圧力に減衰させて、吐出口４からの水や湯がバスタブの底に激しく当たるのをなくせる。本例では蛇口装着部６をスリット１１で形成してある。
ここで、消音具本体５の筒状下端部１４は閉じておくのが望ましい。
【００１１】
また、図５に示すものは、上記図４と同様に通水可能な不織布を２枚合わせにしてその両側をシールすることにより筒状の消音具本体５を形成し、消音具本体５内に流れる水または湯の流勢を減衰させる減衰手段１２として消音具本体５内に抵抗部分１３を設けたもので、この抵抗部分１３により消音具本体５内を流れる水または湯の流勢が減衰される。
これにより、吐出口４からの水や湯がバスタブの底に激しく当たるのをなくすことができる。
更に、図示は省略したが蛇口装着部６は装着孔８やスリット１１に代えて２本の紐で形成し、コック部分１０に結わえて装着することもできる。
【００１２】
【発明の効果】
本発明にかかる蛇口からの飛散防止を兼ねた消音具は以上に説明したように、可撓性を有する状態で略円筒状に形成された消音具本体の少なくとも一端側部分に蛇口装着部を設け、該蛇口装着部を蛇口に装着したときに蛇口の吐出口が消音具本体内に位置するように構成してあるので、吐出口から吐出された水や湯は円筒状の消音具本体の内部を通り、バスタブ等に給水若しくは給湯される。
このとき、吐出口から吐出された水や湯は消音具本体に案内され、周囲への飛散が防止されるとともに、その流れへの空気の取り込みが防止されるので、従来のように、吐出口からの水や湯がバスタブの底に激しく当たるのをなくせる。これにより、水圧が高い場合や、蛇口の吐出口からバスタブの底面との距離（落差）が大きい場合でも騒音の発生や周囲への飛散を防止できる。
【００１３】
また、消音具本体をネット地若しくは編地又は不織布で通水可能に形成したものでは、蛇口からの吐出圧力が高い場合、消音具本体の周囲に流れ出て圧力を適正な圧力に減衰させるので、吐出口からの水や湯がバスタブの底に激しく当たるのをなくせ、消音を図りながらも周囲への飛散も防止できる利点がある。
【００１４】
消音具本体内を流れる水の流勢を減衰させる減衰手段を消音具本体内に設けたものでは、消音具本体内を流れるときにその勢いが減衰されるので、吐出口からの水や湯がバスタブの底に激しく当たるのをなくして消音を図りながらも周囲への飛散も防止できる。
【図面の簡単な説明】
【図１】は本発明にかかる蛇口からの飛散防止を兼ねた消音具の使用状態を示す斜視図である。
【図２】は本発明にかかる蛇口からの飛散防止を兼ねた消音具の斜視図である。
【図３】は本発明にかかる蛇口からの飛散防止を兼ねた消音具の使用手順を示す斜視図である。
【図４】は本発明にかかる蛇口からの飛散防止を兼ねた消音具の別の実施例を示す正面図である。
【図５】は本発明にかかる蛇口からの飛散防止を兼ねた消音具の更に別の実施例を示す正面図である。
【符号の説明】
１・・・消音具
５・・・消音具本体
３・・・蛇口
４・・・吐出口
６・１１・・・蛇口装着部
１３・・・減衰手段
【図１】
2004068535.tif 000003
【図２】
2004068535.tif 000004
【図３】
2004068535.tif 000005
【図４】
2004068535.tif 000006
【図５】
2004068535.tif 000007